(57)【要約】【課題】ＲＦＩＤタグから誤った情報の読込を抑制しうる電解水生成装置を提供する。【解決手段】電解水生成装置１は、電解槽４を有する装置本体２と、交換可能な浄水カートリッジ５とを備える。浄水カートリッジ５には、浄水カートリッジ５を特定するための第１情報と、浄水カートリッジ５の交換時期を決定するための第２情報とを格納するＲＦＩＤタグ５１が設けられる。装置本体２は、ＲＦＩＤタグ５１と通信して、第１情報及び第２情報の読み取りを行なう通信手段７と、読み取られた第１情報及び第２情報を格納するメモリ９と、ＲＦＩＤタグ５１との通信によって読み取られた第１情報が、メモリ９に既に格納されている第１情報と一致する場合、ＲＦＩＤタグ５１との通信を終了し、第２情報の読み取りを行なわない制御手段８とを有する。これにより、第２情報の読み取り回数が削減され、誤った情報の読み込みが抑制される。【選択図】  図２
2016190196.tif 000002
【特許請求の範囲】
【請求項１】
水を電気分解する電解槽を有する装置本体と、前記電解槽の上流又は下流に設けられ、水を浄化する浄水カートリッジとを備え、
前記浄水カートリッジが前記装置本体と着脱されることで交換される電解水生成装置であって、
前記浄水カートリッジには、前記浄水カートリッジを特定するための第１情報と、前記第１情報以外の情報である第２情報とを格納する第１記憶手段が設けられており、
前記装置本体は、
装着されている前記浄水カートリッジの前記第１記憶手段と通信して、前記第１情報及び第２情報の読み取りを行なう通信手段と、
前記第１記憶手段との通信によって読み取られた前記第１情報及び第２情報を格納する第２記憶手段と、
前記第１記憶手段との通信によって読み取られた前記第１情報が、前記第２記憶手段に既に格納されている前記第１情報と一致する場合、前記第１記憶手段との通信を終了し、前記第２情報の読み取りを行なわない制御手段とを有することを特徴とする電解水生成装置。
【請求項２】
前記装置本体は、前記浄水カートリッジを単位時間あたりに通過する通水量を検出する流量センサーをさらに有し、
前記通水量が予め定められた値を超えたとき、前記制御手段は、前記第１情報の読み取りを開始する請求項１記載の電解水生成装置。
【請求項３】
前記通信手段は、前記第２情報を前記第１記憶手段に書き込む機能を有する請求項１又は２に記載の電解水生成装置。
【請求項４】
前記通信手段によって書き込まれる前記第２情報には、前記浄水カートリッジを通過した通水量の積算値に関する情報が含まれる請求項３記載の電解水生成装置。
【請求項５】
前記第２情報には、前記浄水カートリッジが有効に機能する通水量の推奨上限値に関する情報が含まれる請求項１乃至４のいずれかに記載の電解水生成装置。
【請求項６】
前記装置本体は、時間を計数する計数手段を有し、
前記通信手段によって書き込まれる前記第２情報には、前記計数手段によって計数された時間に基づいて積算された前記浄水カートリッジの使用時間に関する情報が含まれる請求項３又は４に記載の電解水生成装置。
【請求項７】
前記第２情報には、前記浄水カートリッジが有効に機能する使用時間の推奨上限値に関する情報が含まれる請求項１乃至６のいずれかに記載の電解水生成装置。
【発明の詳細な説明】
【技術分野】
【０００１】
本発明は、水を電気分解することにより電解水素水を生成する電解水生成装置に関する。
【背景技術】
【０００２】
水を電気分解して水素分子が溶け込んだ還元性の電解水素水を生成できる電解水生成装置が知られている。電解水素水は、活性酸素の除去に適しているとして、注目されている。
【０００３】
近年、普段の生活の中で電解水素水を気軽に摂取できるように、家庭用の電解水生成装置が普及しつつある。例えば、特許文献１には、水道水を浄化する着脱自在な浄水カートリッジと、浄水カートリッジによって浄化された水を電気分解する電解槽とを備えた電解水生成装置が開示されている。
【先行技術文献】
【特許文献】
【０００４】
【特許文献１】特開２０１２−０１６６４３号公報
【０００５】
上記電解水生成装置では、浄水カートリッジを通過した積算の通水量や、浄水カートリッジを使用した積算時間等の情報が、浄水カートリッジ内の記憶手段に書き込まれる。そして、上記情報は、例えば、電解水生成装置が通電していない状態から通電された状態になった場合に、記憶手段から読み込まれ、浄水カートリッジの交換時期の管理等に利用されている。
【０００６】
上記電解水生成装置では、浄水カートリッジ内の記憶手段として、ＲＦＩＤ（Radio Frequency Identification）タグが用いられている。ＲＦＩＤタグは、電解水生成装置の装置本体に設けられた通信手段と通信される。
【０００７】
ところで、ＲＦＩＤタグと通信手段との間での通信の信頼性は、通信手段の性能の他、電解水生成装置の設置される電波環境に依存する。従って、上記通信に用いられる周波数帯域の電波が頻繁に飛び交う環境にあっては、ＲＦＩＤタグから読み込まれた情報に誤りが含まれる場合があり、上述した浄水カートリッジの交換時期の管理等を正確に行なうことが困難となる。
【発明の概要】
【発明が解決しようとする課題】
【０００８】
本発明は、以上のような実状に鑑み案出されたもので、ＲＦＩＤタグから誤った情報の読込を抑制できる電解水生成装置を提供することを主たる目的としている。
【課題を解決するための手段】
【０００９】
本発明は、水を電気分解する電解槽を有する装置本体と、前記電解槽の上流又は下流に設けられ、水を浄化する浄水カートリッジとを備え、前記浄水カートリッジが前記装置本体と着脱されることで交換される電解水生成装置であって、前記浄水カートリッジには、前記浄水カートリッジを特定するための第１情報と、前記第１情報以外の情報である第２情報とを格納する第１記憶手段が設けられており、前記装置本体は、装着されている前記浄水カートリッジの前記第１記憶手段と通信して、前記第１情報及び第２情報の読み取りを行なう通信手段と、前記第１記憶手段との通信によって読み取られた前記第１情報及び第２情報を格納する第２記憶手段と、前記第１記憶手段との通信によって読み取られた前記第１情報が、前記第２記憶手段に既に格納されている前記第１情報と一致する場合、前記第１記憶手段との通信を終了し、前記第２情報の読み取りを行なわない制御手段とを有することを特徴とする。
【００１０】
本発明に係る前記電解水生成装置において、前記装置本体は、前記浄水カートリッジを単位時間あたりに通過する通水量を検出する流量センサーをさらに有し、前記通水量が予め定められた値を超えたとき、前記制御手段は、前記第１情報の読み取りを開始することが望ましい。
【００１１】
本発明に係る前記電解水生成装置において、前記通信手段は、前記第２情報を前記第１記憶手段に書き込む機能を有することが望ましい。
【００１２】
本発明に係る前記電解水生成装置において、前記通信手段によって書き込まれる前記第２情報には、前記浄水カートリッジを通過した通水量の積算値に関する情報が含まれることが望ましい。
【００１３】
本発明に係る前記電解水生成装置において、前記第１情報には、前記浄水カートリッジが有効に機能する通水量の推奨上限値に関する情報が含まれることが望ましい。
【００１４】
本発明に係る前記電解水生成装置において、前記装置本体は、時間を計数する計数手段を有し、前記通信手段によって書き込まれる前記第２情報には、前記計数手段によって計数された時間に基づいて積算された前記浄水カートリッジの使用時間に関する情報が含まれることが望ましい。
【００１５】
本発明に係る前記電解水生成装置において、前記第２情報には、前記浄水カートリッジが有効に機能する使用時間の推奨上限値に関する情報が含まれることが望ましい。
【発明の効果】
【００１６】
本発明の電解水生成装置の浄水カートリッジには、浄水カートリッジを特定するための第１情報と、第１情報以外の情報である第２情報とを格納する第１記憶手段が設けられている。装置本体は、第１記憶手段と通信して、第１情報及び第２情報の読み取りを行なう通信手段と、読み取られた第１情報及び第２情報を格納する第２記憶手段と、第１記憶手段との通信を制御する制御手段とを有する。
【００１７】
制御手段は、第１記憶手段との通信によって読み取られた第１情報が、第２記憶手段に既に格納されている第１情報と一致する場合、第１記憶手段との通信を終了し、第２情報の読み取りは行なわない。これにより、通信手段と第１記憶手段との通信回数が極力削減される。従って、電波環境の一時的な悪化に伴って第１記憶手段から誤った第２情報が読み込まれて第２記憶手段に上書きされることが抑制され、浄水カートリッジの交換時期等を正確に管理することが可能となる。なお、上述した２つの第１情報が一致する場合にあっても、既に第２記憶手段に格納されている第２情報を利用できるので、浄水カートリッジの交換時期等の管理に支障を来すおそれはない。
【図面の簡単な説明】
【００１８】
【図１】本発明の電解水生成装置の概略構成を示す斜視図である。
【図２】図１の電解水生成装置の構成を示すブロック図である。
【図３】図２の制御手段が通信手段を制御して通信を司る処理手順を示すフローチャートである。
【発明を実施するための形態】
【００１９】
以下、本発明の実施の一形態が図面に基づき説明される。
図１は、本実施形態の電解水生成装置１の構成を示している。本実施形態の電解水生成装置１は、水を電気分解する電解槽４を有する装置本体２と、電解槽４に供給される水を浄化する浄水カートリッジ５とを備えている。図１では、装置本体２の一部を構成するケースが２点鎖線にて示され、電解水生成装置１の主要な構成が透視されている。装置本体２の外面には、ユーザーによって操作される操作部２０が設けられている。
【００２０】
電解槽４は、例えば、ねじ（図示せず）等を介して、装置本体２に固着されている。電解槽４の固着は、例えば、はめ込み等の手法によってなされてもよい。電解槽４の内部には電解室４０が形成されている。
【００２１】
浄水カートリッジ５は、装置本体２に対して着脱されることで交換可能とされている。浄水カートリッジ５は、一般に、活性炭、中空糸膜等で構成されており、その性質上、浄水カートリッジ５を通過する水の積算量が増加するにつれて徐々に浄化機能が低下する。そのため、安定した品質の電解水を得るためには、新品の浄水カートリッジ５への交換が必要となる。特に家庭用の電解水生成装置１にあっては、ユーザーが、装置本体２を分解等することなく、浄水カートリッジ５を容易に交換しうるように構成されている。例えば、蓋部材３が開放されることにより、浄水カートリッジ５は装置本体２から露出され、容易に交換可能とされている。蓋部材３は、工具等を用いることなく、容易に開放可能である。
【００２２】
図２には、電解水生成装置１のブロック図が示されている。電解室４０の内部には、陽極給電体４１及び陰極給電体４２が互いに対向して配置されている。陽極給電体４１と陰極給電体４２との間には隔膜４３が配設されている。隔膜４３は、電解室４０を陽極給電体４１側の陽極室４０ａと陰極給電体４２側の陰極室４０ｂとに区分する。
【００２３】
電解室４０の陽極室４０ａ及び陰極室４０ｂの両方に水が供給され、陽極給電体４１及び陰極給電体４２に直流電圧が印加されることにより、電解室４０内で水の電気分解が生ずる。
【００２４】
隔膜４３は、電気分解で生じたイオンを通過させる。隔膜４３を介して陽極給電体４１と、陰極給電体４２とが電気的に接続される。電解室４０内で水が電気分解されることにより、陰極室４０ｂで電解還元水が得られ、陽極室４０ａで電解酸性水が得られる。
【００２５】
陰極室４０ｂでは、電気分解によって水素ガスが発生し、陰極室４０ｂ内の水に溶け込む。従って、陰極室４０ｂで得られた電解還元水は、電解水素水とも称され、活性酸素の除去に有効とされる（以下、電解水素水とする）。
【００２６】
陰極室４０ｂで得られた電解水素水及び陽極室４０ａで得られた電解酸性水は、流路切替弁２１を介して水栓部に供給され、吐出される。流路切替弁２１は、陰極室４０ｂで得られた電解水素水の流路と、陽極室４０ａで得られた電解酸性水の流路とを分離しながら、接続先を切り替え可能に構成されている。
【００２７】
本実施形態では、浄水カートリッジ５は、電解槽４の上流に設けられている。浄水カートリッジ５には、原水が供給される。原水には、一般的には水道水が利用されるが、その他、例えば、井戸水、地下水等を用いることができる。浄水カートリッジ５は、原水を濾過により浄化し、得られた浄水を電解室４０に供給する。
【００２８】
浄水カートリッジ５は、電解槽４の下流に設けられていてもよい。この場合、浄水カートリッジ５は、電解槽４を通過した水を浄化する。
【００２９】
浄水カートリッジ５には、情報を格納する第１記憶手段として、例えば、ＲＦＩＤタグ５１が設けられている。ＲＦＩＤタグ５１とは、無線通信によって情報の読み書きが可能な記憶手段である。第１記憶手段は、有線通信によって情報の読み書きを行なう形態であってもよい。
【００３０】
ＲＦＩＤタグ５１に格納されている情報には、例えば、浄水カートリッジ５を特定するための第１情報と、第１情報以外の情報である第２情報とが含まれる。第２情報には、例えば、浄水カートリッジの交換時期を決定するための情報が含まれる。
【００３１】
第１情報は、浄水カートリッジ５に固有のＩＤ情報である。この第１情報は、浄水カートリッジ５が電解水生成装置１の純正品であることを確認するための情報としても用いることができる。純正品以外の浄水カートリッジ５が電解水生成装置１の装置本体２に装着された場合、電解水生成装置１は、第１情報を取得できないため、純正品の浄水カートリッジ５が装着されていないことを知得できる。このとき、電解水生成装置１は、電解水の生成動作を停止すると共に通知手段（図示せず）を用いて、ユーザーに純正品の浄水カートリッジ５への交換を促すことができる。
【００３２】
第２情報には、浄水カートリッジ５の交換時期を決定するための情報として、例えば、浄水カートリッジ５を通過した通水量の積算値又は浄水カートリッジ５の使用時間等の使用履歴に関する情報が含まれる。このような第２情報を浄水カートリッジ５の交換時期の決定に用いることにより、浄水カートリッジ５の交換時期を適切に管理することが可能となる。
【００３３】
装置本体２は、通信手段７と、制御手段８と、メモリ９と、流量センサー２２とをさらに備えている。
【００３４】
通信手段７は、ＲＦＩＤタグ５１との間で無線通信を行ない、ＲＦＩＤタグ５１に格納されている第１情報及び第２情報を読み取って、その情報に相当する信号を制御手段８に送信する。本実施形態の通信手段７は、上述した情報の読み取り機能に加え、ＲＦＩＤタグ５１に情報を書き込む機能を有するリーダー・ライター装置である。通信手段７は、浄水カートリッジ５の第１記憶手段との間で、有線通信によって情報の読み書きを行なう形態であってもよい。
【００３５】
通信手段７から制御手段８に送信された第１情報及び第２情報は、制御手段８からメモリ９に転送され、メモリ９に格納される。
【００３６】
制御手段８は、電解槽４及び通信手段７等の装置各部の制御を司る。制御手段８は、例えば、各種の演算処理、情報処理等を実行するＣＰＵ（Central Processing Unit）等を有している。ＣＰＵの動作を司るプログラム及び各種の情報は、メモリ９に格納されている。
【００３７】
制御手段８は、例えば、流量センサー２２から入力された信号に基づいて、メモリ９に格納された情報を参照し、給電体４１、４２に供給する電解電流Ｉを制御する。電解電流Ｉの制御は、例えば、制御手段８が陽極給電体４１と陰極給電体４２との間に印加する電圧を制御することによって実現される。
【００３８】
さらに、制御手段８は、陽極給電体４１及び陰極給電体４２に印加する直流電圧の極性の切り替えと流路切替弁２１の動作とを制御する。上記極性の切り替えと流路の切り替えとは、制御手段８によって、互いに同期して制御される。
【００３９】
メモリ９は、制御手段８を動作させるための情報が予め格納されている。メモリ９に予め格納されている情報には、例えば、制御手段８のＣＰＵのプログラムの他、ＲＦＩＤタグ５１に格納されている第１情報と照合し、浄水カートリッジ５が電解水生成装置１の純正品であることを確認するための情報が含まれる。メモリ９は、通信手段７によって読み取られた第１情報及び第２情報を格納する第２記憶手段として機能する。メモリ９の一部又は全ては、制御手段８のＣＰＵと統合されて、制御手段８の内部に実装されている形態であってもよい。
【００４０】
流量センサー２２は、単位時間あたりに浄水カートリッジ５を通過して電解槽４に供給される通水量を検出する。本実施形態では、流量センサー２２は、浄水カートリッジ５と電解槽４とを接続する流路、すなわち浄水カートリッジ５の下流に設けられている。流量センサー２２は、浄水カートリッジ５を通過する通水量を検出できればよく、浄水カートリッジ５の上流又は内部に設けられていてもよい。
【００４１】
流量センサー２２は、上記通水量を検出して、その信号を制御手段８に送信する。制御手段８は、流量センサー２２から送信された信号に基づいて、単位時間あたりに浄水カートリッジ５を通過する通水量を知得する。流量センサー２２によって検出された通水量は、例えば、浄水カートリッジ５の交換時期の管理に適用できる。すなわち、制御手段８は、上記通水量の積算値を適宜計算し、浄水カートリッジ５の交換時期を決定するための第２情報としてメモリ９に格納し、浄水カートリッジ５の交換時期を管理する。
【００４２】
本実施形態では、制御手段８は、時間を計数する計数手段としての機能と、計数した時間に基づいて、浄水カートリッジ５の使用時間を積算する時間積算手段としての機能とを併せ持っている。そして、制御手段８は、浄水カートリッジ５の使用時間を適宜計算し、浄水カートリッジ５の交換時期を決定するための第２情報としてメモリ９に格納し、浄水カートリッジ５の交換時期を管理する。
【００４３】
図３は、制御手段８が、通信手段７を制御してＲＦＩＤタグ５１との通信を司る処理手順を示している。電解水生成装置１に接続された水栓（図示せず）が開かれると、流量センサー２２は、浄水カートリッジ５を通過する通水量を検出し、それに対応する通水信号を制御手段８に送信する。制御手段８は、通水量に関する信号を受信すると（Ｓ１）、通水量と閾値とを比較する（Ｓ２）。閾値は、電解水生成装置１が各種動作の開始を判断する基準値として、予め定められている。通水量が閾値未満の場合は（Ｓ２においてＮ）、Ｓ１に戻って通水量を引き続き監視する。
【００４４】
一方、通水量が閾値以上である場合は（Ｓ２においてＹ）、ＲＦＩＤタグ５１との通信を開始する（Ｓ３）。ＲＦＩＤタグ５１との通信は、通信手段７に第１無線信号を送信させることにより、開始される。通信手段７から第１無線信号が送信されることに伴い、ＲＦＩＤタグ５１は、記憶している第１情報に関する信号を送信する。通信手段７は、この信号を受信して、制御手段８に転送する。これにより、ＲＦＩＤタグ５１に格納されている第１情報が読み込まれる（Ｓ４）。
【００４５】
図３に示されるように、本実施形態では、Ｓ３におけるＲＦＩＤタグ５１との通信の開始、すなわち無線信号を通信手段７に送信させるトリガーとして、流量センサー２２によって検出される通水量を用いている。このため、例えば、操作部２０からの入力信号をトリガーとして通信を開始する形態と比較すると、ユーザーは、通信手段７やＲＦＩＤタグ５１等の存在を意識することなく、電解水生成装置１を操作できる。従って、電解水生成装置１の操作が容易となり、使い勝手が向上する。
【００４６】
ＲＦＩＤタグ５１に格納されている第１情報を読み込んだ制御手段８は、Ｓ４において読み込んだ第１情報と、メモリ９に格納されている第１情報とを比較する（Ｓ５）。
【００４７】
ここで、メモリ９に格納されている第１情報とは、後述するＳ７で格納される第１情報である。従って、浄水カートリッジ５が、電解水生成装置１の装置本体２に最初に装着された場合には、メモリ９にはその浄水カートリッジ５に固有の第１情報が格納されておらず、換言すると、メモリ９には、空の第１情報が格納されていることとなる。このため、Ｓ４において読み込んだ第１情報と、メモリ９に格納されている空の第１情報とは、一致しないので（Ｓ６においてＮ）、制御手段８は、Ｓ４において読み込んだ第１情報をメモリ９に格納する（Ｓ７）。さらに、制御手段８は、通信手段７に第２無線信号を送信させることにより、ＲＦＩＤタグ５１に格納されている第２情報が読み込まれる。第２情報の読み込み処理の詳細については、第１情報と同等であるので、説明を省略する。
【００４８】
制御手段８は、読み込んだ第２情報をメモリ９に格納し（Ｓ８）、ＲＦＩＤタグ５１との通信を終了する（Ｓ９）。以上により、第１巡目の処理が終了する。
【００４９】
上記Ｓ１乃至Ｓ９の処理は、繰り返し実行される。従って、その後、電解水生成装置１に接続された水栓が開かれると、Ｓ１以降の処理が再開される。これにより、第２巡目以降の処理が実行される。
【００５０】
そして、第２巡目以降のＳ４で読み込んだ第１情報が、メモリ９に格納されている第１情報と一致する場合（Ｓ６においてＹ）、制御手段８は、Ｓ９に移行して、第１記憶手段との通信を終了する。このとき、制御手段８は、上記Ｓ７及びＳ８をスキップするので、第２情報の読み取りは行なわれない。
【００５１】
これにより、通信手段７とＲＦＩＤタグ５１との通信回数が削減される。従って、電波環境の一時的な悪化に伴ってＲＦＩＤタグ５１から誤った第２情報が読み込まれてメモリ９に上書きされることが抑制され、浄水カートリッジ５の交換時期等を正確に管理することが可能となる。なお、Ｓ６において２つの第１情報が一致する場合にあっても、既にメモリ９に格納されている第２情報を利用できるので、浄水カートリッジ５の交換時期等の管理に支障を来すおそれはない。
【００５２】
一方、第２巡目以降のＳ４において、読み込んだ第１情報が、メモリ９に格納されている第１情報と一致しない場合（Ｓ６においてＮ）、制御手段８は、装置本体２に装着された浄水カートリッジ５が新たな浄水カートリッジ５であるとみなして、上記Ｓ７、Ｓ８及びＳ９を順次実行する。
【００５３】
第２巡目以降のＳ６において、正しい判定を行なうためには、第１巡目のＳ４で第１情報を正確に読み込む必要がある。また、その後、第２情報を正しく活用するためには、第１巡目のＳ８で第２情報を正確に読み込む必要がある。そのため、第１巡目の処理を実行する際には、他の通信機器や電磁波ノイズを発生する機器を停止させ、又は電解水生成装置１から十分に遠ざけて、通信手段７とＲＦＩＤタグ５１との間の電波環境を良好に維持することが望ましい。
【００５４】
通信手段７は、メモリ９に格納されている第２情報を浄水カートリッジ５のＲＦＩＤタグ５１に書き込む機能を有するのが望ましい。ＲＦＩＤタグ５１に書き込まれる第２情報として、上述した浄水カートリッジ５を通過した通水量の積算値や積算された浄水カートリッジ５の使用時間等が挙げられる。ＲＦＩＤタグ５１への第２情報の書き込みは、例えば、上記通水量の積算値又は使用時間が予め定められた閾値を超えたとき、実行されうる。ＲＦＩＤタグ５１に書き込まれた第２情報は、メモリ９に格納されている第２情報のバックアップとして用いることができる。例えば、電解水生成装置１への給電が断たれた場合等、メモリ９の記憶が失われたとき、又は、メモリ９が実装されている回路基板等が交換されたときに、ＲＦＩＤタグ５１に書き込まれた第２情報を用いることができる。
【００５５】
上記第２情報には、浄水カートリッジ５が有効に機能する通水量の推奨上限値に関する情報が含まれるのが望ましい。この通水量の推奨上限値に関する情報は、例えば、工場から出荷される浄水カートリッジ５のＲＦＩＤタグ５１に予め格納されている。通水量の推奨上限値に関する情報は、通信手段７によって読み込まれ、メモリ９に格納される。制御手段８は、メモリ９に格納されている通水量の推奨上限値に関する情報と通水量の積算値とを比較することにより、浄水カートリッジ５の交換時期を管理する。
【００５６】
通水量の推奨上限値に関する情報の読み込みは、図３に示される第２情報と同様に実行される。すなわち、Ｓ６において２つの第１情報が一致しない場合（Ｓ６においてＮ）、制御手段８は、読み込んだ第１情報をメモリ９に格納し（Ｓ７）、さらに通水量の推奨上限値に関する情報を読み込んでメモリ９に格納し（Ｓ８）、ＲＦＩＤタグ５１との通信を終了する（Ｓ９）。一方、Ｓ６において２つの第１情報が一致する場合（Ｓ６においてＹ）、制御手段８は、Ｓ７及びＳ８をスキップし、通水量の推奨上限値に関する情報を読み込むことなく、ＲＦＩＤタグ５１との通信を終了する（Ｓ９）。
【００５７】
これにより、通信手段７とＲＦＩＤタグ５１との通信回数がより一層削減される。従って、電波環境の一時的な悪化に伴ってＲＦＩＤタグ５１から誤った情報が読み込まれてメモリ９に上書きされることが抑制され、浄水カートリッジ５の交換時期等を正確に管理することが可能となる。なお、Ｓ６において２つの第１情報が一致する場合にあっても、既にメモリ９に格納されている通水量の推奨上限値に関する情報を利用できるので、浄水カートリッジ５の交換時期等の管理に支障を来すおそれはない。
【００５８】
上記第２情報には、浄水カートリッジ５が有効に機能する使用時間の推奨上限値に関する情報が含まれるのが望ましい。この使用時間の推奨上限値に関する情報は、例えば、工場から出荷される浄水カートリッジ５のＲＦＩＤタグ５１に予め格納されている。上記通水量の推奨上限値に関する情報と同様に、使用時間の推奨上限値に関する情報は、通信手段７によって読み込まれ、メモリ９に格納される。制御手段８は、メモリ９に格納されている使用時間の推奨上限値に関する情報と積算した使用時間とを比較することにより、浄水カートリッジ５の交換時期を管理する。使用時間の推奨上限値に関する情報は、上述した通水量の推奨上限値に関する情報に替えて又は通水量の推奨上限値に関する情報に加えて、ＲＦＩＤタグ５１に格納することができる。
【００５９】
使用時間の推奨上限値に関する情報の読み込みも、図３に示される第２情報と同様に実行される。すなわち、Ｓ６において２つの第１情報が一致しない場合（Ｓ６においてＮ）、制御手段８は、読み込んだ第１情報をメモリ９に格納し（Ｓ７）、さらに使用時間の推奨上限値に関する情報を読み込んでメモリ９に格納し（Ｓ８）、ＲＦＩＤタグ５１との通信を終了する（Ｓ９）。一方、Ｓ６において２つの第１情報が一致する場合（Ｓ６においてＹ）、制御手段８は、Ｓ７及びＳ８をスキップし、使用時間の推奨上限値に関する情報を読み込むことなく、ＲＦＩＤタグ５１との通信を終了する（Ｓ９）。
【００６０】
これにより、通信手段７とＲＦＩＤタグ５１との通信回数がより一層削減される。従って、電波環境の一時的な悪化に伴ってＲＦＩＤタグ５１から誤った情報が読み込まれてメモリ９に上書きされることが抑制され、浄水カートリッジ５の交換時期等を正確に管理することが可能となる。なお、Ｓ６において２つの第１情報が一致する場合にあっても、既にメモリ９に格納されている使用時間の推奨上限値に関する情報を利用できるので、浄水カートリッジ５の交換時期等の管理に支障を来すおそれはない。
【００６１】
以上のような構成を有する本実施形態の電解水生成装置１によれば、制御手段８は、ＲＦＩＤタグ５１との通信によって読み取られた第１情報が、メモリ９に既に格納されている第１情報と一致する場合、ＲＦＩＤタグ５１との通信を終了し、第２情報の読み取りは行なわない。これにより、通信手段７とＲＦＩＤタグ５１との通信回数が極力削減される。従って、電波環境の一時的な悪化に伴ってＲＦＩＤタグ５１から誤った第２情報が読み込まれてメモリ９に上書きされることが抑制され、浄水カートリッジ５の交換時期等を正確に管理することが可能となる。
【００６２】
以上、本発明の電解水生成装置１が詳細に説明されたが、本発明は上記の具体的な実施形態に限定されることなく種々の態様に変更して実施される。すなわち、電解水生成装置１は、少なくとも、水を電気分解する電解槽４を有する装置本体２と、電解槽４の上流又は下流に設けられ、水を浄化する浄水カートリッジ５とを備え、浄水カートリッジ５が装置本体２と着脱されることで交換され、浄水カートリッジ５には、浄水カートリッジ５を特定するための第１情報と、浄水カートリッジ５の交換時期を決定するための第２情報とを格納するＲＦＩＤタグ５１が設けられており、装置本体２は、装着されている浄水カートリッジ５のＲＦＩＤタグ５１と通信して、第１情報及び第２情報の読み取りを行なう通信手段７と、ＲＦＩＤタグ５１との通信によって読み取られた第１情報及び第２情報を格納するメモリ９と、ＲＦＩＤタグ５１との通信によって読み取られた第１情報が、メモリ９に既に格納されている第１情報と一致する場合、ＲＦＩＤタグ５１との通信を終了し、第２情報の読み取りを行なわない制御手段８とを有していればよい。
【符号の説明】
【００６３】
１    電解水生成装置
２    装置本体
４    電解槽
５    浄水カートリッジ
７    通信手段
８    制御手段（計数手段）
９    メモリ（第２記憶手段）
５１    ＲＦＩＤタグ（第１記憶手段）
【図１】
2016190196.tif 000003
【図２】
2016190196.tif 000004
【図３】
2016190196.tif 000005